(57)【要約】【課題】即暖運転または即冷運転を行うときの騒音を低減させる空気調和機を提供する。【解決手段】空気調和機１は、室内ファン１２と室内ファンモータ１３と風量選択部３１と温度選択部３２とを備える。室内ファンモータ１３は、室内ファン１２によって送出される空気の量を調節する。風量選択部３１は、使用者が室内ファン１２によって送出される空気の量を予め定められた風量範囲内から選択するためのものである。温度選択部３２は、使用者があらかじめ定められた範囲内の温度から目標温度を選択するためのものである。室内ファンモータ１３は、風量選択部３１によって「強」の風量が選択され、かつ、温度選択部３２によって３２℃または１８℃が選択されたときには、所定の時間として１０分が経過した後、室内ファン１２によって送出される空気の量を「強」よりも大きな限界風量に調節し、限界風量を維持するように構成されている。【選択図】図３
2011047526.tif 000002
【特許請求の範囲】
【請求項１】
ファンと、
前記ファンによって送出される空気の量を調節する風量調節部と、
使用者が前記ファンによって送出される空気の量を予め定められた風量範囲内から選択するための風量選択部と、
使用者が予め定められた温度範囲内の温度から目標温度を選択するための温度選択部とを備え、
前記風量調節部は、前記風量選択部によって前記風量範囲内の風量のうち最大の風量が選択され、かつ、前記温度選択部によって前記温度範囲内の温度のうち最高または最低の温度が選択されたときには、所定の時間が経過した後、前記ファンによって送出される空気の量を前記風量範囲内の最大の風量よりも大きな限界風量に調節し、前記限界風量を維持するように構成されている、空気調和機。
【請求項２】
前記限界風量は、第１の限界風量と、前記第１の限界風量よりも小さい第２の限界風量とを含み、
前記風量調節部は、
前記風量選択部によって前記風量範囲内の風量のうち最大の風量が選択され、かつ、前記温度選択部によって前記温度範囲内の温度のうち最高の温度が選択されたときには、所定の時間が経過した後、前記ファンによって送出される空気の量を前記第１の限界風量に調節し、
前記風量選択部によって前記風量範囲内の風量のうち最大の風量が選択され、かつ、前記温度選択部によって前記温度範囲内の温度のうち最低の温度が選択されたときには、所定の時間が経過した後、前記ファンによって送出される空気の量を前記第２の限界風量に調節するように構成されている、請求項１に記載の空気調和機。
【請求項３】
前記風量調節部は、前記ファンによって送出される空気の量が前記限界風量に調節された後、前記風量選択部によって前記風量範囲内の風量のうち最大の風量以外の風量が選択された場合には、前記ファンによって送出される空気の量を前記風量選択部によって選択された風量に調節するように構成されている、請求項１または請求項２に記載の空気調和機。
【請求項４】
前記風量選択部以外で使用者が操作する操作部を備え、
前記風量調節部が前記ファンによって送出される空気の量を前記限界風量に調節した後、使用者によって前記操作部が操作されたときには、前記風量調節部は、前記ファンによって送出される空気の量を前記風量範囲内の最大の風量に調節するように構成されている、請求項１から請求項３までのいずれか１項に記載の空気調和機。
【請求項５】
使用者が操作して、前記風量調節部が前記限界風量を維持することを解除するように指示するための解除部を備え、
前記風量調節部が前記ファンによって送出される空気の量を前記限界風量に調節した後、使用者によって前記解除部が操作されたときには、前記風量調節部は、前記ファンによって送出される空気の量を前記風量範囲内の最大の風量に調節するように構成されている、請求項１から請求項４までのいずれか１項に記載の空気調和機。
【請求項６】
前記解除部は、前記風量調節部または前記温度調節部を含む、請求項５に記載の空気調和機。
【請求項７】
前記風量調節部が前記ファンによって送出される空気の量を前記限界風量に調節した後、使用者によって前記解除部が操作されたときには、前記風量調節部は、前記ファンによって送出される空気の量を前記風量範囲内の最大の風量に調節し、その後、前記限界風量に調節しないように構成されている、請求項５または請求項６に記載の空気調和機。
【請求項８】
前記解除部は、使用者が操作して当該空気調和機の運転状態を直前の制御処理を行う前の状態に戻す回復指示部を含み、
前記風量調節部が前記ファンによって送出される空気の量を前記限界風量に調節した後、使用者によって前記回復指示部が操作されたときには、前記風量調節部は、前記ファンによって送出される空気の量を前記風量範囲内の最大の風量に調節するように構成されている、請求項５から請求項７までのいずれか１項に記載の空気調和機。
【請求項９】
空気調和対象室内の温度を検知する温度検知部を備え、
前記風量選択部によって前記風量範囲内の風量のうち最大の風量が選択され、かつ、前記温度選択部によって前記温度範囲内の温度のうち最高または最低の温度が選択されてから所定の時間が経過する前に、前記温度検知部によって検知される温度と予め定められた温度との差が所定の範囲内になったときには、前記風量調節部は、前記ファンによって送出される空気の量を前記風量範囲内の最大の風量にし、前記限界風量に調節しないように構成されている、請求項１から請求項８までのいずれか１項に記載の空気調和機。
【請求項１０】
使用者が操作して前記ファンの駆動を停止させるための停止指示部を備え、
前記風量調節部が前記ファンによって送出される空気の量を前記限界風量に調節した後、使用者によって前記停止指示部が操作されたときには、前記停止指示部は前記ファンの駆動を停止する、請求項１から請求項９までのいずれか１項に記載の空気調和機。
【請求項１１】
前記風量調節部は、使用者によって、前記風量範囲内の風量のうち最大の風量が選択され、かつ、前記温度範囲内の温度のうち最高または最低の温度からの差が所定の範囲内の温度が選択されたときには、所定の時間が経過した後、前記ファンによって送出される空気の量を前記風量範囲内の最大の風量よりも大きく前記限界風量よりも小さい準限界風量に調節し、前記準限界風量を維持するように構成されている、請求項１から請求項１０までのいずれか１項に記載の空気調和機。
【発明の詳細な説明】
【技術分野】
【０００１】
この発明は空気調和機に関する。
【背景技術】
【０００２】
従来の空気調和機には、暖房運転時に、少しでも早く快適な暖房感を得たいと使用者が要求する場合、即暖運転を行う空気調和機がある。
【０００３】
例えば、特許第３４５１８７３号公報（特許文献１）には、暖房運転時に即暖要求があったときには、目標温度を強制的に最上限温度に設定し、また、室内熱交換器温度検出手段で検出した室内熱交換器温度が所定の第１温度よりも高くなったときは、室内ファンの風量を通常運転時よりも大きい即暖風量とする一方、室内熱交換器温度が第１基準温度よりも低く設定した第２基準温度よりもさらに低くなったときは、室内ファンの風量を通常運転時の風量とする即暖制御を行う空気調和機が記載されている。
【先行技術文献】
【特許文献】
【０００４】
【特許文献１】特許第３４５１８７３号公報
【発明の概要】
【発明が解決しようとする課題】
【０００５】
しかしながら、特許第３４５１８７３号公報（特許文献１）に記載の空気調和機では、室内熱交換器の温度が第１基準温度よりも高くなったり、第２基準温度よりも低くなったりすると、室内ファンの風量が自動的に切り替えられる。そのため、空気調和対象室内の状態によっては、風量が頻繁に切り替わることがある。室内ファンの風量が頻繁に切り替えられると、風量が切り替えられる度に騒音が発生し、使用者にとって耳障りである。
【０００６】
そこで、この発明の目的は、即暖運転または即冷運転を行うときの騒音を低減させることが可能な空気調和機を提供することである。
【課題を解決するための手段】
【０００７】
この発明に従った空気調和機は、ファンと、風量調節部と、風量選択部と、温度選択部とを備える。
【０００８】
風量調節部は、ファンによって送出される空気の量を調節する。風量選択部は、使用者がファンによって送出される空気の量を予め定められた風量範囲内から選択するためのものである。温度選択部は、使用者が予め定められた温度範囲内の温度から目標温度を選択するためのものである。
【０００９】
風量調節部は、風量選択部によって風量範囲内の風量のうち最大の風量が選択され、かつ、温度選択部によって温度範囲内の温度のうち最高または最低の温度が選択されたときには、所定の時間が経過した後、ファンによって送出される空気の量を風量範囲内の最大の風量よりも大きな限界風量に調節し、限界風量を維持するように構成されている。
【００１０】
風量選択部によって風量範囲内の風量のうち最大の風量が選択され、かつ、温度選択部によって温度範囲内の温度のうち最高の温度が選択されたときには、使用者が、空気調和対象室内の温度を可及的速やかに高めて快適な暖房感を得たいと考えて、即暖要求が行われている。一方、風量選択部によって風量範囲内の風量のうち最大の風量が選択され、かつ、温度選択部によって温度範囲内の温度のうち最低の温度が選択されたときには、使用者が、空気調和対象室内の温度を可及的速やかに低下させて快適な冷房感を得たいと考えて、即冷要求が行われている。
【００１１】
このような場合には、所定の時間が経過した後、ファンによって送出される空気の量を風量選択範囲内の最大の風量よりも大きな限界風量に調節し、限界風量を維持することによって、風量を頻繁に切り替えずに空気調和対象室内の温度を速やかに、選択された温度に近づけることができる。
【００１２】
また、即暖要求または即冷要求があったときに、所定の時間が経過した後に限界風量に調節することによって、例えば、所定の時間が経過する前に空気調和対象室内の温度が選択された温度に達したときには限界風量に調節する必要がなくなる。
【００１３】
このようにすることにより、即暖運転または即冷運転を行うときの騒音を低減させることが可能な空気調和機を提供することができる。
【００１４】
この発明に従った空気調和機においては、限界風量は、第１の限界風量と、第１の限界風量よりも小さい第２の限界風量とを含むことが好ましい。風量調節部は、風量選択部によって風量範囲内の風量のうち最大の風量が選択され、かつ、温度選択部によって温度範囲内の温度のうち最高の温度が選択されたときには、所定の時間が経過した後、ファンによって送出される空気の量を第１の限界風量に調節することが好ましい。また、風量調節部は、風量選択部によって風量範囲内の風量のうち最大の風量が選択され、かつ、温度選択部によって温度範囲内の温度のうち最低の温度が選択されたときには、所定の時間が経過した後、ファンによって送出される空気の量を第２の限界風量に調節するように構成されていることが好ましい。
【００１５】
このようにすることにより、より効率よく即暖運転と即冷運転とを行うことができる。また、即冷運転時に、ファンや熱交換器に結露することを防ぐことができる。
【００１６】
この発明に従った空気調和機においては、風量調節部は、ファンによって送出される空気の量が限界風量に調節された後、風量選択部によって風量範囲内の風量のうち最大の風量以外の風量が選択された場合には、ファンによって送出される空気の量を風量選択部によって選択された風量に調節するように構成されていることが好ましい。
【００１７】
限界風量は、風量範囲内の風量のうち最大の風量よりも大きい。そのため、頻繁に風量が切り替わることなく、限界風量で空気が送出され続けていても、使用者によっては騒音を不快に感じることがある。そこで、このようにすることにより、例えば、風量が頻繁に切り替わらなくても限界風量の騒音を使用者が不快に感じた場合には、風量を限界風量よりも小さい風量に調節して騒音を低減させることができる。
【００１８】
この発明に従った空気調和機は、風量選択部以外で使用者が操作する操作部を備えることが好ましい。風量調節部がファンによって送出される空気の量を限界風量に調節した後、使用者によって操作部が操作されたときには、風量調節部は、ファンによって送出される空気の量を風量範囲内の最大の風量に調節するように構成されていることが好ましい。
【００１９】
限界風量は、風量範囲内の風量のうち最大の風量よりも大きい。そのため、頻繁に風量が切り替わることなく、限界風量で空気が送出され続けていても、使用者によっては騒音を不快に感じることがある。そこで、このようにすることにより、例えば、風量が頻繁に切り替わらなくても限界風量の騒音を使用者が不快に感じた場合には、風量を限界風量よりも小さい風量に調節して騒音を低減させることができる。また、騒音を低減させながら、ある程度効率よく空気調和対象室内の温度を目標温度に近づけることができる。
【００２０】
この発明に従った空気調和機は、使用者が操作して、風量調節部が限界風量を維持することを解除するように指示するための解除部を備えることが好ましい。風量調節部がファンによって送出される空気の量を限界風量に調節した後、使用者によって解除部が操作されたときには、風量調節部は、ファンによって送出される空気の量を風量範囲内の最大の風量に調節するように構成されていることが好ましい。
【００２１】
限界風量は、風量範囲内の風量のうち最大の風量よりも大きい。そのため、頻繁に風量が切り替わることなく、限界風量で空気が送出され続けていても、使用者によっては騒音を不快に感じることがある。そこで、このようにすることにより、例えば、風量が頻繁に切り替わらなくても限界風量の騒音を使用者が不快に感じた場合には、風量を限界風量よりも小さい風量に調節して騒音を低減させることができる。また、騒音を低減させながら、ある程度効率よく空気調和対象室内の温度を目標温度に近づけることができる。
【００２２】
この発明に従った空気調和機においては、解除部は、風量調節部または温度調節部を含むことが好ましい。
【００２３】
このようにすることにより、空気調和機の構成部品を追加することなく、解除部を備えることができる。
【００２４】
この発明に従った空気調和機においては、風量調節部がファンによって送出される空気の量を限界風量に調節した後、使用者によって解除部が操作されたときには、風量調節部は、ファンによって送出される空気の量を風量範囲内の最大の風量に調節し、その後、限界風量に調節しないように構成されていることが好ましい。
【００２５】
限界風量は、風量範囲内の風量のうち最大の風量よりも大きい。そのため、頻繁に風量が切り替わることなく、限界風量で空気が送出され続けていても、使用者によっては騒音を不快に感じることがある。そこで、このようにすることにより、例えば、風量が頻繁に切り替わらなくても限界風量の騒音を使用者が不快に感じた場合には、風量を限界風量よりも小さい風量に調節して騒音を低減させることができる。また、騒音を低減させながら、ある程度効率よく空気調和対象室内の温度を目標温度に近づけることができる。
【００２６】
また、風量調節部は、一旦、解除部が操作された後には、ファンによって送出される空気の量を限界風量に調節しないように構成されているので、使用者によって解除部が操作された後、再び所定の時間が経過しても風量が増大されず、騒音が発生することを防ぐことができる。
【００２７】
この発明に従った空気調和機においては、解除部は、使用者が操作して当該空気調和機の運転状態を直前の制御処理を行う前の状態に戻す回復指示部を含むことが好ましい。風量調節部がファンによって送出される空気の量を限界風量に調節した後、使用者によって回復指示部が操作されたときには、風量調節部は、ファンによって送出される空気の量を風量範囲内の最大の風量に調節するように構成されていることが好ましい。
【００２８】
限界風量は、風量範囲内の風量のうち最大の風量よりも大きい。そのため、頻繁に風量が切り替わることなく、限界風量で空気が送出され続けていても、使用者によっては騒音を不快に感じることがある。そこで、このようにすることにより、例えば、風量が頻繁に切り替わらなくても限界風量の騒音を使用者が不快に感じた場合には、風量を限界風量よりも小さい風量に調節して騒音を低減させることができる。また、騒音を低減させながら、ある程度効率よく空気調和対象室内の温度を目標温度に近づけることができる。
【００２９】
この発明に従った空気調和機は、空気調和対象室内の温度を検知する温度検知部を備えることが好ましい。風量選択部によって風量範囲内の風量のうち最大の風量が選択され、かつ、温度選択部によって温度範囲内の温度のうち最高または最低の温度が選択されてから所定の時間が経過する前に、温度検知部によって検知される温度と予め定められた温度との差が所定の範囲内になったときには、風量調節部は、ファンによって送出される空気の量を風量範囲内の最大の風量にし、限界風量に調節しないように構成されていることが好ましい。
【００３０】
このようにすることにより、温度検知部によって検知される温度と予め定められた温度との差が所定の範囲内になったときには、限界風量に調節せず、騒音を防ぎながら効率よく空気調和対象室内の温度を目標温度に近づけることができる。
【００３１】
この発明に従った空気調和機は、使用者が操作してファンの駆動を停止させるための停止指示部を備えることが好ましい。風量調節部がファンによって送出される空気の量を限界風量に調節した後、使用者によって停止指示部が操作されたときには、停止指示部はファンの駆動を停止することが好ましい。
【００３２】
限界風量は、風量範囲内の風量のうち最大の風量よりも大きい。そのため、頻繁に風量が切り替わることなく、限界風量で空気が送出され続けていても、使用者によっては騒音を不快に感じることがある。そこで、このようにすることにより、例えば、風量が頻繁に切り替わらなくても限界風量の騒音を使用者が不快に感じた場合には、ファンの駆動を停止させて騒音を発生させないようにすることができる。
【００３３】
この発明に従った空気調和機においては、風量調節部は、使用者によって、風量範囲内の風量のうち最大の風量が選択され、かつ、温度範囲内の温度のうち最高または最低の温度からの差が所定の範囲内の温度が選択されたときには、所定の時間が経過した後、ファンによって送出される空気の量を風量範囲内の最大の風量よりも大きく限界風量よりも小さい準限界風量に調節し、準限界風量を維持するように構成されていることが好ましい。
【００３４】
このようにすることにより、使用者によって即暖要求または即冷要求に準じた要求がされたときにも、騒音を低減しながら、効率よく空気調和対象室内の温度を目標温度に近づけることができる。
【発明の効果】
【００３５】
以上のように、この発明によれば、即暖運転または即冷運転を行うときの騒音を低減させることが可能な空気調和機を提供することができる。
【図面の簡単な説明】
【００３６】
【図１】本発明の一つの実施の形態に係る空気調和機の冷凍サイクルを示す図である。
【図２】この発明の一つの実施の形態に係る空気調和機のリモートコントローラの構成を示す図である。
【図３】この発明の一つの実施の形態に係る空気調和機の制御処理関連の構成を示すブロック図である。
【図４】この発明の一つの実施の形態に係る空気調和機において、即暖要求または即冷要求がされたときの制御処理の例を示すチャートである。
【図５】この発明の一つの実施の形態に係る空気調和機において、準即暖要求または準即冷要求がされたときの制御処理の例を示すチャートである。
【図６】この発明の一つの実施の形態に係る空気調和機において、即暖運転または即冷運転が行なわれているときに風量選択部が操作されたときの制御処理を示すチャートである。
【図７】この発明の一つの実施の形態に係る空気調和機において、即暖運転または即冷運転が行なわれているときに風量選択部が操作されたときの制御処理の別の例を示すチャートである。
【図８】この発明の一つの実施の形態に係る空気調和機において、即暖運転または即冷運転が行なわれているときに風量選択部が操作されたときの制御処理のまた別の例を示すチャートである。
【図９】この発明の一つの実施の形態に係る空気調和機において、即暖運転または即冷運転が行なわれているときに風量選択部が操作されたときの制御処理のさらに別の例を示すチャートである。
【図１０】この発明の一つの実施の形態に係る空気調和機において、即暖要求または即冷要求がされた後、所定時間内に空気調和対象室内の温度が目標温度に近付いたときの制御処理を示すチャートである。
【図１１】この発明の一つの実施の形態に係る空気調和機において、即暖要求または即冷要求がされた後、使用者が温度選択部を操作したときの制御処理を示すチャートである。
【図１２】この発明の一つの実施の形態に係る空気調和機において、即暖要求または即冷要求がされた後、使用者が温度選択部を操作し、さらにその後、即暖要求または即冷要求がされたときの制御処理を示すチャートである。
【図１３】この発明の一つの実施の形態に係る空気調和機において、即暖運転または即冷運転が行なわれているときに使用者が温度選択部を操作した後、さらに即暖要求または即冷要求がされたときの制御処理を示すチャートである。
【図１４】この発明の一つの実施の形態に係る空気調和機において、即暖運転または即冷運転が行なわれているときに使用者が停止指示部を操作したときの制御処理を示すチャートである。
【発明を実施するための形態】
【００３７】
以下、この発明の実施の形態を図面に基づいて説明する。
【００３８】
図１に示すように、空気調和機１は室内機１０と室外機２０とを備える。室内機１０は、室内熱交換器１１と、ファンとして室内ファン１２と、室内制御装置として制御部１７とを備える。室外機２０は、圧縮機２１と、四方弁２４と、室外熱交換器２５と、室外ファン２６と、膨張弁２８と、室外制御装置として制御部２９とを備える。
【００３９】
室内ファン１２は、室内熱交換器１１に室内空気を通過させるためのものであり、風量調節部として室内ファンモータ１３によって駆動される。圧縮機２１は、圧縮機モータ２２によって駆動され、その吸込み側にはアキュムレータ２３が接続されている。室外ファン２６は、室外熱交換器２５に室外空気を通過させるためのものであり、室外ファンモータ２７によって駆動される。
【００４０】
室内機１０と室外機２０の接続経路には二つのバルブが設けられ、室内機１０と室外機２０の各構成要素は、順次、冷媒配管によって接続されて周知の冷凍サイクルを構成する。
【００４１】
冷房運転時には、冷媒は、実線の矢印で示すように、圧縮機２１、四方弁２４、室外熱交換器２５、膨張弁２８、室内熱交換器１１、四方弁２４、アキュムレータ２３および圧縮機２１の順の経路で循環する。この場合、室外熱交換器２５は凝縮器として機能し、室内熱交換器１１は蒸発器として機能する。
【００４２】
暖房運転時には、冷媒は、破線の矢印で示すように、圧縮機２１、四方弁２４、室内熱交換器１１、膨張弁２８、室外熱交換器２５、四方弁２４、アキュムレータ２３および圧縮機２１の順の経路で循環する。この場合、室内熱交換器１１は凝縮器として機能し、室外熱交換器２５は蒸発器として機能する。
【００４３】
室内機１０は、空気調和対象室内の温度を検知する温度検知部として室内温度検知部１４と、吹出口における空気の温度を検出する吹出口温度検出部１５と、室内熱交換器１１における空気の温度を検出する熱交換器温度検出部１６とを備える。制御部１７は、選択された運転モードに従って、設定された目標温度と、室内温度検知部１４で検出された検出室内温度と、吹出口温度検出部１５または熱交換器温度検出部１６で検出された吹出し空気温度とに応じて、室内ファン１２の回転数、すなわち、室内ファンモータ１３の回転数を制御するとともに、制御情報を制御部２９に送信する。制御部２９は、制御部１７から受信した制御情報に応じて、圧縮機２１の回転数、すなわち、圧縮機モータ２２の回転数と、室外ファン２６の回転数、すなわち、室外ファンモータ２７の回転数とを制御する。
【００４４】
制御部１７が室内ファンモータ１３の回転数を変更することによって、室内ファン１２によって送出される風量が変更される。風量は、例えば、「静音」「微」「弱」「強」「冷房最強」「暖房最強」の６段階に変更される。これらの風量は、「静音」で最も小さく、「微」「弱」「強」「冷房最強」「暖房最強」の順に風量が大きくなる。「冷房最強」と「暖房最強」は、限界風量の一例であり、「暖房最強」は第１の限界風量の一例であり、「冷房最強」は第２の限界風量の一例である。
【００４５】
図２に示すように、空気調和機１のリモートコントローラ３０は、少なくとも、風量選択部３１と、温度選択部３２と、操作部３３と、回復指示部３５と、停止指示部３６とを含む。風量選択部３１と温度選択部３２と回復指示部３５は、解除部３４の一部である。解除部３４は、風量選択部３１と温度選択部３２と回復指示部３５とは別の部材を含んでいてもよい。
【００４６】
このように、空気調和機１においては、解除部３４は、風量調節部３１と温度調節部３２を含む。このようにすることにより、空気調和機１の構成部品を追加することなく、解除部３４を備えることができる。
【００４７】
風量選択部３１は、室内ファン１２によって送出される空気の量を予め定められた風量範囲内から使用者が選択するためのものである。使用者は、予め定められた風量範囲として、例えば、「静音」「微」「弱」「強」のうちから風量を選択することができる。「強」の風量は、使用者が選択することができる風量範囲のうち、最大の風量である。
【００４８】
温度選択部３２は、予め定められた温度範囲内の温度から使用者が目標温度を選択するためのものである。使用者は、予め定められた温度範囲として、例えば、１８℃から３２℃までの温度を選択することができる。この場合には、予め定められた温度範囲のうち、最低の温度は１８℃であり、最高の温度は３２℃である。
【００４９】
操作部３３は、使用者が風量の選択以外の操作を行う場合に使用されるものであり、温度選択部３２を含む。操作部３３は、他に、例えばタイマー設定や、室内ファン１２によって送出される空気にイオンを供給するかどうかの設定を行うためのボタンを含む。
【００５０】
解除部３４は、使用者が操作して、室内ファンモータ１３によって送出される空気の量が「暖房最強」または「冷房最強」にされているときに、風量を「強」に戻すためのものである。
【００５１】
回復指示部３５は、空気調和機１の状態を、使用者がリモートコントローラ３０に対して行った直前の操作が行われる前の状態に戻すためのものである。例えば、使用者が温度選択部３２を操作して、目標温度を２０℃から２１℃に上昇させる操作を行った後、回復指示部３５を操作すると、目標温度が２０℃に戻される。
【００５２】
停止指示部３６は、室内ファン１２の駆動を停止させるためのものである。
【００５３】
図３に示すように、空気調和機１は、風量を調節するための制御関連の構成として、主に、風量選択部３１と、温度選択部３２と、操作部３３と、解除部３４と、回復指示部３５と、停止指示部３６と、室内温度検知部１４と、室内ファンモータ１３と、圧縮機モータ２２と、制御部１７と、制御部２９と、計時部１８とを備える。
【００５４】
解除部３４の風量選択部３１と温度選択部３２と回復指示部３５と操作部３３と停止指示部３６は、使用者によって操作されると、制御部１７に信号を送信する。室内温度検知部１４は、検知した温度に関する信号を制御部１７に送信する。制御部１７は、風量選択部３１と温度選択部３２と操作部３３と回復指示部３５と停止指示部３６と室内温度検知部１４とから受信した信号に基づいて、室内ファンモータ１３を制御する。制御部２９は、制御部１７から受信した制御信号に基づいて、圧縮機モータ２２を制御する。計時部１８は、制御部１７と信号の送受信を行なう。計時部１８は、制御部１７から受信した信号に基づいて時間を計測し、計測した時間に関する信号を制御部１７に送信する。
【００５５】
制御部１７は、最強予定フラグと最強状態フラグと最強状態実施済みフラグとを含む。最強予定フラグは、使用者によって即暖運転または即冷運転を行なうことが指示された場合、すなわち、風量範囲内の風量のうち最大の風量である「強」が選択され、かつ、温度範囲内の温度のうち最高の温度である３２℃または最低の温度である１８℃が選択されたときにＯＮにされる。最強状態フラグは、最強予定フラグがＯＮにされた後、所定の時間として１０分が経過したときにＯＮにされる。すなわち、最強状態フラグは、待ち時間を監視している。最強状態実施済みフラグは、即暖運転または即冷運転が行なわれたときにＯＮにされる。
【００５６】
風量選択部３１は、使用者によって選択された風量に関する信号を制御部１７に送信する。制御部１７は、風量選択部３１から受信した信号に基づいて、使用者が風量選択部３１によって選択した風量の空気を室内ファン１２が送出するように、室内ファンモータ１３を制御する。
【００５７】
温度選択部３２は、使用者によって選択された温度に関する振動を制御部１７に送信する。制御部１７は、温度選択部３２から受信した信号に基づいて、使用者が温度選択部３２によって選択した温度を目標温度として、制御部２９に信号を送信する。制御部２９は、制御部１７から受信した信号に基づいて、圧縮機モータ２２の回転数を制御する。また、制御部１７は、温度選択部３２から受信した信号に基づいて、室内ファンモータ１３を制御する。
【００５８】
操作部３３は、使用者によって行われた操作に関する信号を制御部１７に送信する。操作部３３からの信号を受信した制御部１７は、例えばイオン発生装置や計時部１８などに制御信号を送信して、空気調和機１が行われた操作に対応する動作を行うように制御する。
【００５９】
解除部３４は、室内ファン１２によって送出される空気の量が「即暖最強」または「即冷最強」にされているときに、使用者によって操作された場合に、信号を制御部１７に送信する。解除部３４からの信号を受信した制御部１７は、室内ファンモータ１３に制御信号を送信して、室内ファン１２によって送出される空気の風量を「強」にするように制御する。
【００６０】
回復指示部３５は、使用者によって操作された場合に、信号を制御部１７に送信する。回復指示部３５から信号を受信した制御部１７は、空気調和機１の状態を、直前の制御処理を行う前の状態に戻すように、室内ファンモータ１３を制御したり、制御部２９に信号を送信したりする。
【００６１】
停止指示部３６は、使用者によって操作された場合に、信号を制御部１７に送信する。停止指示部３６からの信号を受信した制御部１７は、室内ファンモータ１３に制御信号を送信して、室内ファン１２の駆動を停止するように制御する。
【００６２】
以上のように構成される空気調和機１について、即暖運転または即冷運転が行われるときの動作について説明する。
【００６３】
まず、図１から図４を用いて、空気調和機１において即暖運転または即冷運転が行われるときの動作について説明する。
【００６４】
空気調和機１が即暖運転または即冷運転のいずれでもなく、その他の状態で運転されている場合、制御部１７の最強予定フラグと最強状態フラグと最強状態実施済みフラグはいずれもＯＦＦにされている。
【００６５】
使用者が即暖要求または即冷要求をする、すなわち、リモートコントローラ３０の風量選択部３１を操作して風量を「強」にし、温度選択部３２を操作して温度を３２℃または１８℃のいずれかにすると、制御部１７の最強予定フラグがＯＮになる。同時に、制御部１７は室内ファンモータ１３に制御信号を送信して、室内ファン１２によって送出される空気の風量が「強」になるようにする。また同時に、制御部１７は計時部１８に制御信号を送信し、計時部１８が時間の計測を開始する。
【００６６】
計時部１８は、１０分経過したことを計測したとき、制御部１７に信号を送信する。計時部１８から信号を受信した制御部１７は、最強状態フラグをＯＮにする。また同時に、制御部１７は、室内ファン１２によって送出される空気の風量を「暖房最強」または「冷房最強」にするように、室内ファンモータ１３を制御し、最強状態実施済みフラグをＯＮにする。風量は、暖房運転中に使用者によって３２℃が選択された場合には「暖房最強」にされ、冷房運転中に使用者によって１８℃が選択された場合には「冷房最強」にされる。
【００６７】
制御部１７は、その後、室内ファン１２によって送出される空気の風量を「暖房最強」または「冷房最強」に維持するように、室内ファンモータ１３を制御する。
【００６８】
以上のように、空気調和機１は、室内ファン１２と、室内ファンモータ１３と、風量選択部３１と、温度選択部３２とを備える。
【００６９】
室内ファンモータ１３は、室内ファン１２によって送出される空気の量を調節する。風量選択部３１は、使用者が室内ファン１２によって送出される空気の量を予め定められた風量範囲内から選択するためのものである。温度選択部３２は、使用者が予め定められた範囲内の温度から目標温度を選択するためのものである。
【００７０】
室内ファンモータ１３は、風量選択部３１によって風量範囲内の風量のうち最大の風量である「強」が選択され、かつ、温度選択部３２によって温度範囲内の温度のうち最高の温度である３２℃または最低の温度である１８℃が選択されたときには、所定の時間として１０分が経過した後、室内ファン１２によって送出される空気の量を風量範囲内の最大の風量である「強」よりも大きな限界風量に調節し、限界風量を維持するように構成されている。
【００７１】
暖房運転中に、風量選択部３１によって風量範囲内の風量のうち最大の風量である「強」が選択され、かつ、温度選択部３２によって温度範囲内の温度のうち最高の温度である３２℃が選択されたときには、使用者が、空気調和対象室内の温度を可及的速やかに高めて快適な暖房感を得たいと考えて、即暖要求が行われている。一方、冷房運転中に、風量選択部３１によって風量範囲内の風量のうち最大の風量である「強」が選択され、かつ、温度選択部３２によって温度範囲内の温度のうち最低の温度である１８℃が選択されたときには、使用者が、空気調和対象室内の温度を可及的速やかに低下させて快適な冷房感を得たいと考えて、即冷要求が行われている。
【００７２】
このような場合には、１０分経過した後、室内ファン１２によって送出される空気の量を風量選択範囲内の最大の風量である「強」よりも大きな限界風量に調節し、限界風量を維持することによって、風量を頻繁に切り替えずに空気調和対象室内の温度を速やかに、選択された温度に近づけることができる。
【００７３】
また、即暖要求または即冷要求があったときに、１０分経過した後に限界風量に調節することによって、例えば、１０分経過する前に空気調和対象室内の温度が選択された温度に達したときには限界風量に調節する必要がなくなる。
【００７４】
このようにすることにより、即暖運転または即冷運転を行うときの騒音を低減させることが可能な空気調和機１を提供することができる。
【００７５】
また、空気調和機１においては、限界風量は、「暖房最強」または「冷房最強」と、「暖房最強」よりも小さい「冷房最強」とを含む。室内ファンモータ１３は、暖房運転中に風量選択部３１によって風量範囲内の風量のうち最大の風量である「強」が選択され、かつ、温度選択部３２によって温度範囲内の温度のうち最高の温度である３２℃が選択されたときには、１０分経過した後、室内ファン１２によって送出される空気の量を「暖房最強」に調節する。また、室内ファンモータ１３は、冷房運転中に風量選択部３１によって風量範囲内の風量のうち最大の風量である「強」が選択され、かつ、温度選択部３２によって温度範囲内の温度のうち最低の温度である１８℃が選択されたときには、１０分経過した後、室内ファン１２によって送出される空気の量を「冷房最強」に調節するように構成されている。
【００７６】
このようにすることにより、より効率よく即暖運転と即冷運転とを行うことができる。また、即冷運転時に、室内ファン１２や室内熱交換器１１に結露することを防ぐことができる。
【００７７】
次に、図１から図３と図５とを用いて、空気調和機１における別の制御について説明する。
【００７８】
制御部１７は、最強予定フラグと最強状態フラグと最強状態実施済みフラグの他に、準最強予定フラグと、準最強状態フラグと、準最強状態実施済みフラグとを含んでいてもよい。
【００７９】
空気調和機１が即暖運転または即冷運転のいずれでもなく、その他の状態で運転されている場合、制御部１７の準最強予定フラグと準最強状態フラグと準最強状態実施済みフラグはいずれもＯＦＦにされている。
【００８０】
準最強予定フラグは、使用者によって風量範囲内の風量のうち最大の風量である「強」が選択され、かつ、暖房運転中に温度範囲内の温度のうち最高の温度である３２℃よりも１℃低い３１℃が選択されたとき、または、冷房運転中に温度範囲内の温度のうち最低の温度である１８℃よりも１℃高い１９℃が選択されたときに、ＯＮにされる。
【００８１】
準最強状態フラグは、準最強予定フラグがＯＮにされた後、所定の時間として１０分が経過したときにＯＮにされる。
【００８２】
準最強予定フラグと準最強状態フラグがＯＮにされると、制御部１７は室内ファンモータ１３に制御信号を送信して、室内ファン１２によって送出される風量を「暖房最強」よりも小さい「準暖房最強」にする準即暖運転、または、「冷房最強」よりも小さい「準冷房最強」にする準即冷運転を行なう。準最強状態実施済みフラグは、準即暖運転または準即冷運転が行なわれたときにＯＮにされる。
【００８３】
制御部１７は、その後、室内ファン１２によって送出される空気の風量を「暖房最強」に維持するように、室内ファンモータ１３を制御する。
【００８４】
以上のように、空気調和機１においては、室内ファンモータ１３は、暖房運転中に使用者によって、風量範囲内の風量のうち最大の風量である「強」が選択され、かつ、温度範囲内の温度のうち最高の温度である３２℃からの差が１℃以内の温度が選択されたときには、１０分経過した後、室内ファン１２によって送出される空気の量を風量範囲内の最大の風量よりも大きく「暖房最強」よりも小さい「準暖房最強」に調節し、「準暖房最強」を維持するように構成されている。また、室内ファンモータ１３は、冷房運転中に使用者によって、風量範囲内の風量のうち最大の風量である「強」が選択され、かつ、最低の温度である１８℃からの差が１℃以内の温度が選択されたときには、１０分経過した後、室内ファン１２によって送出される空気の量を風量範囲内の最大の風量よりも大きく「冷房最強」よりも小さい「準冷房最強」に調節し、「準冷房最強」を維持するように構成されている。
【００８５】
このようにすることにより、使用者によって即暖要求または即冷要求に準じた要求がされたときにも、騒音を低減しながら、効率よく空気調和対象室内の温度を目標温度に近づけることができる。
【００８６】
次に、図１から図３と図６とを用いて、即暖運転または即冷運転が行われているときに、使用者が風量選択部３１を操作したときの空気調和機１の動作について説明する。
【００８７】
空気調和機１が即暖運転または即冷運転のいずれでもなく、その他の状態で運転されている場合、制御部１７の最強予定フラグと最強状態フラグと最強状態実施済みフラグはいずれもＯＦＦにされている。
【００８８】
使用者がリモートコントローラ３０の風量選択部３１を操作して風量を「強」にし、温度選択部３２を操作して温度を３２℃または１８℃のいずれかにすると、制御部１７の最強予定フラグがＯＮになる。同時に、制御部１７は室内ファンモータ１３に制御信号を送信して、室内ファン１２によって送出される空気の風量が「強」になるようにする。また同時に、制御部１７は計時部１８に制御信号を送信し、計時部１８が時間の計測を開始する。
【００８９】
計時部１８は、１０分経過したことを計測したとき、制御部１７に信号を送信する。計時部１８から信号を受信した制御部１７は、最強状態フラグをＯＮにする。また同時に、制御部１７は、室内ファン１２によって送出される空気の風量を「暖房最強」または「冷房最強」にするように、室内ファンモータ１３を制御し、最強状態実施済みフラグをＯＮにする。風量は、使用者によって３２℃が選択された場合には「暖房最強」にされ、使用者によって１８℃が選択された場合には「冷房最強」にされる。
【００９０】
制御部１７は、室内ファン１２によって送出される空気の風量を「暖房最強」または「冷房最強」に維持するように、室内ファンモータ１３を制御する。しかし、その後、使用者が風量選択部３１を操作して風量を「強」以外の風量に変更すると、風量選択部３１が制御部１７に信号を送信し、風量選択部３１からの信号を受信した制御部１７は、最強予定フラグをＯＦＦにする。同時に、制御部１７は、室内ファンモータ１３に制御信号を送信して、室内ファン１２が使用者によって選択された風量の空気を送出するように制御する。
【００９１】
以上のように、空気調和機１においては、室内ファンモータ１３は、室内ファン１２によって送出される空気の量が「暖房最強」または「冷房最強」に調節された後、風量選択部３１によって風量範囲内の風量のうち最大の風量以外の風量が選択された場合には、室内ファン１２によって送出される空気の量を風量選択部３１によって選択された風量に調節するように構成されている。
【００９２】
「暖房最強」と「冷房最強」の風量は、風量範囲内の風量のうち最大の風量である「強」の風量よりも大きい。そのため、頻繁に風量が切り替わることなく、「暖房最強」または「冷房最強」の風量で空気が送出され続けていても、使用者によっては騒音を不快に感じることがある。そこで、このようにすることにより、例えば、風量が頻繁に切り替わらなくても「暖房最強」または「冷房最強」の騒音を使用者が不快に感じた場合には、風量を「暖房最強」または「冷房最強」よりも小さい風量に調節して騒音を低減させることができる。
【００９３】
次に、図１から図３と図７とを用いて、即暖運転または即冷運転が行われているときに、使用者が風量選択部３１を操作したときの空気調和機１の動作の別の例について説明する。
【００９４】
空気調和機１が即暖運転または即冷運転のいずれでもなく、その他の状態で運転されている場合、制御部１７の最強予定フラグと最強状態フラグと最強状態実施済みフラグはいずれもＯＦＦにされている。
【００９５】
使用者がリモートコントローラ３０の風量選択部３１を操作して風量を「強」にし、温度選択部３２を操作して温度を３２℃または１８℃のいずれかにすると、制御部１７の最強予定フラグがＯＮになる。同時に、制御部１７は室内ファンモータ１３に制御信号を送信して、室内ファン１２によって送出される空気の風量が「強」になるようにする。また同時に、制御部１７は計時部１８に制御信号を送信し、計時部１８が時間の計測を開始する。
【００９６】
計時部１８は、１０分経過したことを計測したとき、制御部１７に信号を送信する。計時部１８から信号を受信した制御部１７は、最強状態フラグをＯＮにする。また同時に、制御部１７は、室内ファン１２によって送出される空気の風量を「暖房最強」または「冷房最強」にするように、室内ファンモータ１３を制御し、最強状態実施済みフラグをＯＮにする。風量は、暖房運転中に使用者によって３２℃が選択された場合には「暖房最強」にされ、冷房運転中に使用者によって１８℃が選択された場合には「冷房最強」にされる。
【００９７】
制御部１７は、室内ファン１２によって送出される空気の風量を「暖房最強」または「冷房最強」に維持するように、室内ファンモータ１３を制御する。しかし、その後、使用者が風量選択部３１を操作して風量を「強」以外の風量に変更すると、風量選択部３１が制御部１７に信号を送信し、風量選択部３１からの信号を受信した制御部１７は、最強予定フラグをＯＦＦにする。同時に、制御部１７は、室内ファンモータ１３に制御信号を送信して、室内ファン１２が使用者によって選択された風量の空気を送出するように制御する。
【００９８】
最強予定フラグがＯＦＦにされても、最強状態フラグと最強状態実施済みフラグはＯＮにされたままである。
【００９９】
さらにその後、目標温度として３２℃または１８℃が選択されている状態で、使用者が風量選択部３１を操作して風量を「強」にすると、再び最強予定フラグがＯＮにされる。また、最強状態フラグはすでにＯＮにされている。しかしながら、既に最強状態実施済みフラグもＯＮにされている。そのため、最強予定フラグと最強状態フラグの両方がＯＮにされてから所定の時間として１０分が経過しても、既に最強状態実施済みフラグがＯＮにされているので、制御部１７は風量を「暖房最強」または「冷房最強」にするように室内ファンモータ１３を制御しない。室内ファン１２の風量は、「強」の風量のままに保たれる。
【０１００】
次に、図１から図３と図８とを用いて、即暖運転または即冷運転が行われているときに、使用者が風量選択部３１を操作したときの空気調和機１の動作のまた別の例について説明する。
【０１０１】
使用者が空気調和機１のリモートコントローラ３０の風量選択部３１によって風量として「強」を選択した後、別の風量を選択することなく、続けて再び「強」を選択した場合、制御部１７が二度目の「強」の選択を認識することができるように構成されている空気調和機がある。
【０１０２】
空気調和機１がこのように構成されている場合には、即暖運転または即冷運転が行なわれているときに、使用者が風量選択部３１を操作して「強」の風量を再び選択すると、風量選択部３１が制御部１７に信号を送信する。目標温度として３２℃または１８℃が選択され、風量として「強」が選択されているので、最強予定フラグはＯＦＦにならず、ＯＮのままにされる。また、最強状態フラグと最強状態実施済みフラグもＯＮのままにされる。
【０１０３】
しかし、使用者が風量選択部３１を操作して「強」の風量を選択したことによって、風量は「暖房最強」または「冷房最強」から「強」に変更される。
【０１０４】
風量が「暖房最強」または「冷房最強」から「強」に戻されてから１０分経過しても、既に最強状態実施済みフラグがＯＮにされているので、制御部１７は風量を「暖房最強」または「冷房最強」にするように室内ファンモータ１３を制御しない。室内ファン１２の風量は、「強」の風量のままに保たれる。
【０１０５】
また、即暖運転または即冷運転が行なわれているときに、使用者がリモートコントローラ３０の解除部３４の回復指示部３５を操作したときにも、図８に示すように制御処理が行われる。
【０１０６】
以上のように、空気調和機１は、使用者が操作して、室内ファンモータ１３が「暖房最強」または「冷房最強」を維持することを解除するように指示するための解除部３４を備える。室内ファンモータ１３が室内ファン１２によって送出される空気の量を「暖房最強」または「冷房最強」に調節した後、使用者によって解除部３４が操作されたときには、室内ファンモータ１３は、室内ファン１２によって送出される空気の量を風量範囲内の最大の風量である「強」に調節するように構成されている。
【０１０７】
また、空気調和機１においては、室内ファンモータ１３が室内ファン１２によって送出される空気の量を「暖房最強」または「冷房最強」に調節した後、使用者によって解除部３４が操作されたときには、室内ファンモータ１３は、室内ファン１２によって送出される空気の量を風量範囲内の最大の風量である「強」に調節し、その後、「暖房最強」または「冷房最強」に調節しないように構成されている。
【０１０８】
室内ファンモータ１３は、一旦、解除部３４が操作された後には、室内ファン１２によって送出される空気の量を「暖房最強」または「冷房最強」に調節しないように構成されているので、使用者によって解除部３４が操作された後、再び１０分経過しても風量が増大されず、騒音が発生することを防ぐことができる。
【０１０９】
また、空気調和機１においては、解除部３４は、使用者が操作して当該空気調和機１の運転状態を直前の制御処理を行う前の状態に戻す回復指示部３５を含む。室内ファンモータ１３が室内ファン１２によって送出される空気の量を「暖房最強」または「冷房最強」に調節した後、使用者によって回復指示部３５が操作されたときには、室内ファンモータ１３は、室内ファン１２によって送出される空気の量を風量範囲内の最大の風量である「強」に調節するように構成されている。
【０１１０】
「暖房最強」と「冷房最強」の風量は、風量範囲内の風量のうち最大の風量である「強」の風量よりも大きい。そのため、頻繁に風量が切り替わることなく、「暖房最強」または「冷房最強」の風量で空気が送出され続けていても、使用者によっては騒音を不快に感じることがある。そこで、このようにすることにより、例えば、風量が頻繁に切り替わらなくても「暖房最強」または「冷房最強」の騒音を使用者が不快に感じた場合には、風量を「暖房最強」または「冷房最強」よりも小さい、風量範囲内の最大の風量である「強」に調節して、騒音を低減させることができる。また、騒音を低減させながら、ある程度効率よく空気調和対象室内の温度を目標温度に近づけることができる。
【０１１１】
また、即暖運転または即冷運転が行なわれているときに、使用者がリモートコントローラ３０の操作部３３を操作したときにも、図８に示すように制御処理が行われる。
【０１１２】
以上のように、空気調和機１は、風量選択部３１以外で使用者が操作する操作部３３を備える。室内ファンモータ１３が室内ファン１２によって送出される空気の量を「暖房最強」または「冷房最強」に調節した後、使用者によって操作部３３が操作されたときには、室内ファンモータ１３は、室内ファン１２によって送出される空気の量を風量範囲内の最大の風量である「強」に調節するように構成されている。
【０１１３】
「暖房最強」と「冷房最強」の風量は、風量範囲内の風量のうち最大の風量である「強」の風量よりも大きい。そのため、頻繁に風量が切り替わることなく、「暖房最強」または「冷房最強」の風量で空気が送出され続けていても、使用者によっては騒音を不快に感じることがある。そこで、このようにすることにより、例えば、風量が頻繁に切り替わらなくても「暖房最強」または「冷房最強」の騒音を使用者が不快に感じた場合には、風量を「暖房最強」または「冷房最強」よりも小さい、風量範囲内の最大の風量である「強」に調節して、騒音を低減させることができる。また、騒音を低減させながら、ある程度効率よく空気調和対象室内の温度を目標温度に近づけることができる。
【０１１４】
次に、図１から図３と図９とを用いて、即暖運転または即冷運転が行われているときに、使用者が風量選択部３１を操作したときの空気調和機１の動作のさらに別の例について説明する。
【０１１５】
使用者が空気調和機１のリモートコントローラ３０の風量選択部３１によって風量として「強」を選択した後、別の風量を選択することなく、続けて再び「強」を選択した場合、制御部１７が二度目の「強」の選択を認識することができないように構成されている空気調和機がある。空気調和機１がこのような空気調和機である場合には、即暖運転または即冷運転が行なわれているときに使用者が風量選択部３１を操作して「強」の風量を選択しても、制御部１７は使用者が風量選択部３１を操作したことを認識することができない。
【０１１６】
そのため、空気調和機１がこのように構成されている場合には、即暖運転または即冷運転が行われているときに、使用者が風量選択部３１を操作しても、即暖運転または即冷運転がそのまま継続される。
【０１１７】
次に、図１から図３と図１０とを用いて、即暖要求または即冷要求がされた後、所定時間内に空気調和対象室内の温度が目標温度に近付いたときの空気調和機１の動作について説明する。
【０１１８】
空気調和機１が即暖運転または即冷運転のいずれでもなく、その他の状態で運転されている場合、制御部１７の最強予定フラグと最強状態フラグと最強状態実施済みフラグはいずれもＯＦＦにされている。
【０１１９】
室内温度検知部１４は、空気調和対象室内の温度を検知して、制御部１７に信号を送信する。制御部１７は、室内温度検知部１４から送信される信号に基づいて、使用者によって温度選択部３２で選択される目標温度と、室内温度検知部１４によって検知される空気調和対象室内の温度との温度差が、所定の範囲として６℃以内であるかどうかを判断する。
【０１２０】
空気調和機１が即暖運転または即冷運転のいずれでもなく、その他の状態で運転されている場合には、制御部１７は、室内温度検知部１４で検出された検出室内温度と、吹出口温度検出部１５または熱交換器温度検出部１６で検出された吹出し空気温度とに応じて、室内ファンモータ１３の回転数を制御し、制御部２９に制御信号を送信して圧縮機モータ２２の回転数を制御する。
【０１２１】
使用者がリモートコントローラ３０の風量選択部３１を操作して風量を「強」にし、温度選択部３２を操作して目標温度を３２℃または１８℃のいずれかにすると、制御部１７の最強予定フラグがＯＮになる。同時に、制御部１７は室内ファンモータ１３に制御信号を送信して、室内ファン１２によって送出される空気の風量が「強」になるようにする。また同時に、制御部１７は計時部１８に制御信号を送信し、計時部１８が時間の計測を開始する。
【０１２２】
最強予定フラグがＯＮにされてから１０分経過する前に、室内温度検知部１４によって空気調和対象室内の温度と、選択された目標温度との温度差が６℃以内であると判断されると、制御部１７は、最強予定フラグをＯＦＦにする。室内ファン１２によって送出される風量は、「強」のままに保たれる。
【０１２３】
以上のように、空気調和機１は、空気調和対象室内の温度を検知する室内温度検知部１４を備える。風量選択部３１によって風量範囲内の風量のうち最大の風量として「強」が選択され、かつ、温度選択部３２によって温度範囲内の温度のうち最高の温度として３２℃または最低の温度として１８℃が選択されてから１０分経過する前に、室内温度検知部１４によって検知される温度と予め定められた温度との差が６℃以内になったときには、室内ファンモータ１３は、室内ファン１２によって送出される空気の量を風量範囲内の最大の風量である「強」にし、「暖房最強」または「冷房最強」に調節しないように構成されている。
【０１２４】
このようにすることにより、室内温度検知部１４によって検知される温度と予め定められた温度との差が６℃以内になったときには、「暖房最強」または「冷房最強」に調節せず、騒音を防ぎながら効率よく空気調和対象室内の温度を目標温度に近づけることができる。
【０１２５】
なお、室内温度検知部１４によって検知される温度と予め定められた温度との差が６℃以内であるかどうかの判断は、１０分経過したときにされてもよい。
【０１２６】
次に、図１から図３と図１１とを用いて、即暖要求または即冷要求がされた後、使用者が温度選択部３２を操作したときの空気調和機１の動作について説明する。
【０１２７】
空気調和機１が即暖運転または即冷運転のいずれでもなく、その他の状態で運転されている場合、制御部１７の最強予定フラグと最強状態フラグと最強状態実施済みフラグはいずれもＯＦＦにされている。
【０１２８】
使用者がリモートコントローラ３０の風量選択部３１を操作して風量を「強」にし、温度選択部３２を操作して温度を３２℃または１８℃のいずれかにすると、制御部１７の最強予定フラグがＯＮになる。同時に、制御部１７は室内ファンモータ１３に制御信号を送信して、室内ファン１２によって送出される空気の風量が「強」になるようにする。また同時に、制御部１７は計時部１８に制御信号を送信し、計時部１８が時間の計測を開始する。
【０１２９】
最強予定フラグがＯＮにされてから１０分経過する前に、温度選択部３２を操作して目標温度を変更すると、即暖要求または即冷要求が解除される。温度選択部３２は制御部１７に信号を送信する。信号を受信した制御部１７は、最強予定フラグをＯＦＦにする。風量は「強」のまま保たれる。
【０１３０】
以上のように、空気調和機１は、使用者が操作して、室内ファンモータ１３が「暖房最強」または「冷房最強」を維持することを解除するように指示するための解除部３４として風量選択部３１を備える。室内ファンモータ１３が室内ファン１２によって送出される空気の量を「暖房最強」または「冷房最強」に調節した後、使用者によって風量選択部３１が操作されたときには、室内ファンモータ１３は、室内ファン１２によって送出される空気の量を風量範囲内の最大の風量である「強」に調節するように構成されている。
【０１３１】
「暖房最強」と「冷房最強」の風量は、風量範囲内の風量のうち最大の風量である「強」の風量よりも大きい。そのため、頻繁に風量が切り替わることなく、「暖房最強」または「冷房最強」の風量で空気が送出され続けていても、使用者によっては騒音を不快に感じることがある。そこで、このようにすることにより、例えば、風量が頻繁に切り替わらなくても「暖房最強」または「冷房最強」の騒音を使用者が不快に感じた場合には、風量を「暖房最強」または「冷房最強」よりも小さい、風量範囲内の最大の風量である「強」に調節して、騒音を低減させることができる。また、騒音を低減させながら、ある程度効率よく空気調和対象室内の温度を目標温度に近づけることができる。
【０１３２】
次に、図１から図３と図１２とを用いて、即暖要求または即冷要求がされた後、使用者が温度選択部３２を操作し、さらにその後、即暖要求または即冷要求がされたときの空気調和機１の動作について説明する。
【０１３３】
上述のように、最強予定フラグがＯＮにされてから１０分経過する前に、温度選択部３２を操作して目標温度を変更すると、即暖要求または即冷要求が解除される。温度選択部３２は制御部１７に信号を送信する。信号を受信した制御部１７は、最強予定フラグをＯＦＦにする。風量は「強」のまま保たれる。このとき、最強状態実施済みフラグはＯＦＦにされている。
【０１３４】
その後、使用者が再び温度選択部３２を操作して、目標温度として３２℃または１８℃を選択すると、制御部１７は最強予定フラグを再びＯＮにする。計時部１８は、最強予定フラグがＯＮにされてから１０分経過したことを計測したとき、制御部１７に信号を送信する。計時部１８から信号を受信した制御部１７は、最強状態フラグをＯＮにする。また同時に、制御部１７は、室内ファン１２によって送出される空気の風量を「暖房最強」または「冷房最強」にするように、室内ファンモータ１３を制御し、最強状態実施済みフラグをＯＮにする。風量は、暖房運転中に使用者によって３２℃が選択された場合には「暖房最強」にされ、冷房運転中に使用者によって１８℃が選択された場合には「冷房最強」にされる。
【０１３５】
このように、即暖要求または即冷要求がされた後、使用者が温度選択部を操作することによって即暖要求または即冷要求が解除され、さらにその後、即暖要求または即冷要求がされたときには、即暖運転または即冷運転が行なわれる。
【０１３６】
次に、図１から図３と図１３とを用いて、即暖運転または即冷運転が行なわれているときに使用者が温度選択部３２を操作した後、さらに即暖要求または即冷要求がされたときの空気調和機１の動作について説明する。
【０１３７】
空気調和機１が即暖運転または即冷運転のいずれでもなく、その他の状態で運転されている場合、制御部１７の最強予定フラグと最強状態フラグと最強状態実施済みフラグはいずれもＯＦＦにされている。
【０１３８】
使用者がリモートコントローラ３０の風量選択部３１を操作して風量を「強」にし、温度選択部３２を操作して温度を３２℃または１８℃のいずれかにすると、制御部１７の最強予定フラグがＯＮになる。同時に、制御部１７は室内ファンモータ１３に制御信号を送信して、室内ファン１２によって送出される空気の風量が「強」になるようにする。また同時に、制御部１７は計時部１８に制御信号を送信し、計時部１８が時間の計測を開始する。
【０１３９】
計時部１８は、１０分経過したことを計測したとき、制御部１７に信号を送信する。計時部１８から信号を受信した制御部１７は、最強状態フラグをＯＮにする。また同時に、制御部１７は、室内ファン１２によって送出される空気の風量を「暖房最強」または「冷房最強」にするように、室内ファンモータ１３を制御し、最強状態実施済みフラグをＯＮにする。風量は、暖房運転中に使用者によって３２℃が選択された場合には「暖房最強」にされ、冷房運転中に使用者によって１８℃が選択された場合には「冷房最強」にされる。
【０１４０】
制御部１７は、室内ファン１２によって送出される空気の風量を「暖房最強」または「冷房最強」に維持するように、室内ファンモータ１３を制御する。しかし、その後、使用者が温度選択部３２を操作して、温度を３２℃または１８℃以外の温度に変更すると、温度選択部３２が制御部１７に信号を送信し、温度選択部３２からの信号を受信した制御部１７は、最強予定フラグをＯＦＦにする。同時に、制御部１７は、室内ファンモータ１３に制御信号を送信して、室内ファン１２が使用者によって選択された風量の空気を送出するように制御する。
【０１４１】
最強予定フラグがＯＦＦにされても、最強状態フラグと最強状態実施済みフラグはＯＮにされたままである。
【０１４２】
さらにその後、風量として「強」が選択されている状態で、使用者が温度選択部３２を操作して目標温度を３２℃または１８℃にすると、再び最強予定フラグがＯＮにされる。また、最強状態フラグはすでにＯＮにされている。しかしながら、既に最強状態実施済みフラグもＯＮにされている。そのため、最強予定フラグと最強状態フラグの両方がＯＮにされてから所定の時間として１０分が経過しても、既に最強状態実施済みフラグがＯＮにされているので、制御部１７は風量を「暖房最強」または「冷房最強」にするように室内ファンモータ１３を制御しない。室内ファン１２の風量は、「強」の風量のままに保たれる。
【０１４３】
以上のように、空気調和機１においては、室内ファンモータ１３が室内ファン１２によって送出される空気の量を「暖房最強」または「冷房最強」に調節した後、使用者によって温度選択部３２が操作されたときには、室内ファンモータ１３は、室内ファン１２によって送出される空気の量を風量範囲内の最大の風量である「強」に調節し、その後、「暖房最強」または「冷房最強」に調節しないように構成されている。
【０１４４】
室内ファンモータ１３は、一旦、温度選択部３２が操作された後には、室内ファン１２によって送出される空気の量を「暖房最強」または「冷房最強」に調節しないように構成されているので、使用者によって温度選択部３２が操作された後、再び１０分経過しても風量が増大されず、騒音が発生することを防ぐことができる。
【０１４５】
次に、図１から図３と図１４とを用いて、即暖運転または即冷運転が行なわれているときに使用者が停止指示部３６を操作したときの空気調和機１の動作について説明する。
【０１４６】
空気調和機１が即暖運転または即冷運転のいずれでもなく、その他の状態で運転されている場合、制御部１７の最強予定フラグと最強状態フラグと最強状態実施済みフラグはいずれもＯＦＦにされている。
【０１４７】
使用者がリモートコントローラ３０の風量選択部３１を操作して風量を「強」にし、温度選択部３２を操作して温度を３２℃または１８℃のいずれかにすると、制御部１７の最強予定フラグがＯＮになる。同時に、制御部１７は室内ファンモータ１３に制御信号を送信して、室内ファン１２によって送出される空気の風量が「強」になるようにする。また同時に、制御部１７は計時部１８に制御信号を送信し、計時部１８が時間の計測を開始する。
【０１４８】
計時部１８は、１０分経過したことを計測したとき、制御部１７に信号を送信する。計時部１８から信号を受信した制御部１７は、最強状態フラグをＯＮにする。また同時に、制御部１７は、室内ファン１２によって送出される空気の風量を「暖房最強」または「冷房最強」にするように、室内ファンモータ１３を制御し、最強状態実施済みフラグをＯＮにする。風量は、暖房運転中に使用者によって３２℃が選択された場合には「暖房最強」にされ、冷房運転中に使用者によって１８℃が選択された場合には「冷房最強」にされる。
【０１４９】
制御部１７は、室内ファン１２によって送出される空気の風量を「暖房最強」または「冷房最強」に維持するように、室内ファンモータ１３を制御する。しかし、その後、使用者が停止指示部３６を操作すると、室内ファンモータ１３の駆動が停止される。
【０１５０】
停止指示部３６が操作されると、室内ファンモータ１３の他、圧縮機モータ２２など、他の部材の駆動も全て停止されて、空気調和機１の駆動が停止される。空気調和機１の駆動が停止されると、最強予定フラグと最強状態フラグと最強状態実施済みフラグはいずれもＯＦＦにされる。このように、空気調和機１の駆動停止と同時に、最強状態実施済みフラグもＯＦＦにされるので、次に空気調和機１を駆動させたときに再び即暖要求または即冷要求がされれば、即暖運転または即冷運転を行なうことができる。
【０１５１】
以上のように、空気調和機１は、使用者が操作して室内ファン１２の駆動を停止させるための停止指示部３６を備える。室内ファンモータ１３が室内ファン１２によって送出される空気の量を「暖房最強」または「冷房最強」に調節した後、使用者によって停止指示部３６が操作されたときには、停止指示部３６は室内ファン１２の駆動を停止する。
【０１５２】
「暖房最強」と「冷房最強」の風量は、風量範囲内の風量のうち最大の風量である「強」の風量よりも大きい。そのため、頻繁に風量が切り替わることなく、「暖房最強」または「冷房最強」の風量で空気が送出され続けていても、使用者によっては騒音を不快に感じることがある。そこで、このようにすることにより、例えば、風量が頻繁に切り替わらなくても「暖房最強」または「冷房最強」の騒音を使用者が不快に感じた場合には、室内ファン１２の駆動を停止させて騒音を発生させないようにすることができる。
【０１５３】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正と変形を含むものである。
【符号の説明】
【０１５４】
１：空気調和機、１２：室内ファン、１３：室内ファンモータ、１４：室内温度検知部、３１：風量選択部、３２：温度選択部、３３：操作部、３４：解除部、３５：回復指示部、３６：停止指示部。
【図１】
2011047526.tif 000003
【図２】
2011047526.tif 000004
【図３】
2011047526.tif 000005
【図４】
2011047526.tif 000006
【図５】
2011047526.tif 000007
【図６】
2011047526.tif 000008
【図７】
2011047526.tif 000009
【図８】
2011047526.tif 000010
【図９】
2011047526.tif 000011
【図１０】
2011047526.tif 000012
【図１１】
2011047526.tif 000013
【図１２】
2011047526.tif 000014
【図１３】
2011047526.tif 000015
【図１４】
2011047526.tif 000016